(57)【要約】【課題】複数のコンテンツ間にリンクを作成し連携して利用する際に、コンテンツの権利者との許諾交渉を支援する。【解決手段】リンク設定の許諾手続ログから、リンク希望のコンテンツ個々の許諾の得やすさを表す許諾取得容易度を求め、該各コンテンツの許諾取得度に基づき、コンテンツ間の連携に関する許諾の得やすさを表すコンテンツ連携度を計算する手段を備える。また、コンテンツ連携度からコンテンツ間の空間距離を求め、コンテンツ空間として可視化するための手段も備える。【選択図】図２
2005309763.tif 000002
【特許請求の範囲】
【請求項１】
複数のコンテンツ間にリンクを作成し連携させて利用する際に、そのコンテンツの権利者から許諾を得るシステムにおけるコンテンツ連携度計算装置であって、
コンテンツ情報を管理するコンテンツ情報管理手段と、
リンク希望者とコンテンツ権利者との間で行われる許諾手続を管理する許諾手続管理手段と、
リンク希望者からのリンク希望の各コンテンツの許諾取得容易度を、前記コンテンツ情報、許諾手続のログ情報から算出する許諾取得容易度算出手段と、
前記算出した各コンテンツの許諾取得容易度から、各コンテンツ間の連携度を算出するコンテンツ連携度算出手段と、
前記許諾取得容易度やコンテンツ連携度を算出するために必要な算出ルールを管理設定するルール設定手段と、
を具備することを特徴とするコンテンツ連携度計算装置。
【請求項２】
請求項１記載のコンテンツ連携度計算装置において、
各コンテンツ間の連携度から各コンテンツの空間距離を算出する空間距離算出手段と、
各コンテンツの空間距離を用いて、コンテンツ空間を作成するコンテンツ空間作成手段とを更に備え、
ルール設定手段は、空間距離を計算するために必要な算出ルールや、コンテンツ空間を作成するために必要なコンテンツ空間作成ルールを更に管理設定する、
ことを特徴とするコンテンツ連携度計算装置。
【請求項３】
請求項１もしくは２記載のコンテンツ連携度計算装置において、
許諾取得容易度算出手段は、コンテンツの許諾取得容易度として、コンテンツの権利者数から人的容易度、コンテンツに関して許諾を得るまでに要した時間から時間的容易度、コンテンツに関して過去に行われた許諾手続における、許諾の成立した確率から確率的容易度の一部あるいは全部を算出し、
コンテンツ連携度計算手段は、各コンテンツの人的容易度、時間的容易度、確率的容易度の一部あるいは全部を用いて、コンテンツ間の連携に関する人的容易度、時間的容易度、確率的容易度の一部あるいは全部を算出する、
ことを特徴とするコンテンツ連携度計算装置。
【請求項４】
複数のコンテンツ間にリンクを作成し連携させて利用する際に、そのコンテンツの権利者から許諾を得るシステムにおけるコンテンツ連携度計算方法であって、
コンテンツ情報、リンク希望者とコンテンツ権利者との間で行われる許諾手続を管理し、
リンク希望者からのリンク希望の各コンテンツの許諾取得容易度を、前記コンテンツ情報、許諾手続のログ情報から算出し、
前記算出した各コンテンツの許諾取得容易度から、各コンテンツ間の連携度を算出し、
前記許諾取得容易度やコンテンツ連携度を算出するために必要な算出ルールを設定する、することを特徴とするコンテンツ連携度計算方法。
【請求項５】
請求項４記載のコンテンツ連携度計算方法において、
各コンテンツ間の連携度から各コンテンツの空間距離を算出し、各コンテンツの空間距離を用いて、コンテンツ空間を作成し、空間距離を計算するために必要な算出ルールや、コンテンツ空間を作成するために必要なコンテンツ空間作成ルールを更に設定する、
ことを特徴とするコンテンツ連携度計算方法。
【請求項６】
請求項４もしくは５記載のコンテンツ連携度計算方法において、
コンテンツの許諾取得容易度として、コンテンツの権利者数から人的容易度、コンテンツに関して許諾を得るまでに要した時間から時間的容易度、コンテンツに関して過去に行われた許諾手続における、許諾の成立した確率から確率的容易度の一部あるいは全部を算出し、
コンテンツ連携度として、各コンテンツの人的容易度、時間的容易度、確率的容易度の一部あるいは全部を用いて、コンテンツ間の連携に関する人的容易度、時間的容易度、確率的容易度の一部あるいは全部を算出する、
ことを特徴とするコンテンツ連携度計算方法。
【請求項７】
請求項４乃至６のいずれか１項に記載のコンテンツ連携度計算方法の処理をコンピュータで実行させるためのプログラム。
【発明の詳細な説明】
【技術分野】
【０００１】
本発明は、コンテンツを利用する際に、その利用に関する許諾を、コンテンツの権利所有者から得られていない場合において、許諾取得を支援する技術に関するものである。
【背景技術】
【０００２】
近年、コンテンツ配信サービスが盛んに行われている。そして、より多くの情報を提供可能とするため、一つのメディアの操作により、別のメディアからも情報を取得できるようなメディア連携システムが提案されている（例えば、非特許文献１参照）。
【０００３】
これによれば、エンドユーザがシステムからコンテンツを取得しようとしたときに、そのコンテンツ全体や、あるいは、そのコンテンツの一部分に対して、連携して登録されている他のコンテンツの情報を一緒に取得することができる。これは、あらかじめ両コンテンツ間にリンクを作成しておき、システムに登録しておくことによって可能としている。
【０００４】
【非特許文献１】澤瀬，平野，植野，東野，“クロスメディア連携システムのデザイン”，電子情報通信学会総合大会，Ａ−１６−２７，２００３
【発明の開示】
【発明が解決しようとする課題】
【０００５】
メデイア連携システム等では、コンテンツ間にリンクを作成する作業が必要である。その際、無断で両者のコンテンツにリンク付けを行うと、そのコンテンツの権利者から後でクレームをつけられる可能性がある。そこで、事前に、両コンテンツの権利者から、リンク付けを行うことに関する許諾をとっておくことが重要となる。
【０００６】
しかし、現在、コンテンツの権利は、著作権、肖像権、パブリシティー権等、多様化しており、そのコンテンツに関わる全ての権利所有者と許諾交渉を行うに際して、その作業がどのくらい難しいものなのか、どれだけの稼動を要するものなのか、業界関係者から話を聞かないと実態がわからないため、許諾交渉に踏み切れない場合も多々あった。
【０００７】
本発明は、上記の課題に鑑みてなされたもので、その目的とするところは、コンテンツ間の連携に関する許諾の得やすさを表わす客観的な尺度を提供して、リンク希望者のリンク作成作業を支援することにある。
【課題を解決するための手段】
【０００８】
本発明では、リンク希望のコンテンツ個々の許諾の得やすさを表す許諾取得容易度に基づき、複数のコンテンツ間の連携に関する許諾の得やすさを表すコンテンツ連携度を計算する手段を備える。また、コンテンツ連携度からコンテンツ間の空間距離を求め、コンテンツ空間として可視化するための計算手段も備える。
【０００９】
許諾取得容易度とは、コンテンツの権利者からの、コンテンツ利用に関する許諾の得やすさを定量的に示す評価値である。許諾取得容易度は、例えば、コンテンツの権利者の人数から求める人的容易度と、そのコンテンツに関して許諾を得るまでに要した時間から求める時間的容易度と、そのコンテンツに関して過去に行われた許諾手続における、許諾の成立した確率から求める確率的容易度の３つの要素から算出される。
【００１０】
コンテンツ連携度とは、２つのコンテンツ間の連携に関する許諾の得やすさを定量的に示す評価値である。コンテンツ連携度は、それぞれのコンテンツが持つ許諾取得容易度を用いて算出する。連携させようとする双方のコンテンツの許諾取得容易度の値が大きければ、その２つのコンテンツ間のコンテンツ連携度の値は大きくなり、その２つのコンテンツ間の連携に関する許諾が得やすいということを表している。
【発明の効果】
【００１１】
本発明によれば、コンテンツ連携度を反映したコンテンツ空間を表現することができるため、業界関係者からの話を開かなくても、コンテンツ間の連携に関する許諾の得やすさを定量的に知ることが可能となる。よって、利用者はリンク作成の際に、コンテンツ連携度が反映されたコンテンツ空間を見ながら、どのコンテンツ同士にリンクを作成するかを検討することができ、リンク希望者のリンク作成作業を支援することが可能となる。
【発明を実施するための最良の形態】
【００１２】
図１に本発明の実施形態のシステム構成例を示す。図１において、コンテンツ情報管理センタ１００と、リンク希望者端末（ＥＵ）２００と、コンテンツ権利者端末（ＲＨ）３００は、通信ネットワーク４００を介して接続されており、コンテンツ情報（ＣＩ）は、コンテンツ情報管理センタ１００にて管理されている。コンテンツの実体は別のサーバ上に存在していても良い。
【００１３】
リンク希望者は、リンク希望者端末（ＥＵ）２００を用い、通信ネットワーク４００を介して、コンテンツ情報管理センタ１００にアクセスし、コンテンツ情報管理センタ１００が管理しているコンテンツ情報（ＣＩ）を参照し、コンテンツ権利者端末（ＲＨ）３００に対して、リンク許諾要求を出す。リンク希望者とコンテンツ権利者との間の許諾手続きは、コンテンツ情報管理センタ１００を介して行う。一連の許諾手続によって得られた許諾手続ログを元に、コンテンツ情報管理センタ１００内で、各コンテンツの許諾取得容易度が算出され、その算出された許諾取得容易度からコンテンツ間の連携度が計算され、各コンテンツの空間距離、コンテンツ空間が作成される。リンク希望者は、リンク希望者端末（ＥＵ）２００を用いて、コンテンツ情報管理センタ１００のコンテンツ空間を参照することができ、コンテンツ権利者と許諾交渉して、どのコンテンツ間にリンクを作成するかを検討する目安とすることができる。
【００１４】
図２に、本発明におけるコンテンツ連携度計算装置としてのコンテンツ情報管理センタ１００の構成例を示す。コンテンツ情報管理センタ１００は、リンク希望者端末（ＥＵ）２００やコンテンツ権利者端末（ＲＨ）との必要な通信を司る通信インタフェース１０、コンテンツ情報を管理するコンテンツ情報管理手段１１、リンク希望者とコンテンツ権利者との間の許諾手続を管理する許諾手続管理手段１２、各コンテンツの許諾取得容易度を算出する許諾取得容易度算出手段１３、各コンテンツの許諾取得容易度に基づき、各コンテンツ間の連携度を算出するコンテンツ連携度算出手段１４、コンテンツ間の連携度から、コンテンツ間の空間距離を算出する空間距離算出手段１５、コンテンツ間の空間距離をもとに、コンテンツ空間を作成するコンテンツ空間作成手段１６、後述のルールをルールデータベース２０から検索して設定するルール設定手段１７、コンテンツの権利者の情報等、コンテンツに関する情報を格納するコンテンツ情報データベース１８、許諾手続の内容のログを格納する許諾手続ログ管理データベース１９、及び、許諾取得容易度を算出するために必要な許諾取得容易度算出ルールと、コンテンツ連携度の計算に必要なコンテンツ連携度算出ルール、さらには、コンテンツ間の連携度から、コンテンツ間の空間距離を算出する空間距離算出ルール、コンテンツ間の空間距離に基づいてコンテンツ空間を作成するために必要なコンテンツ空間作成ルールなどを格納しておくためのルールデータベース２０を具備する。
【００１５】
本コンテンツ情報管理センタ１００は、コンピュータのハードウエア、ソフトウエア資源を利用して構成される一種のサーバ装置であり、通信インタフェース１０及び各手段１１〜１７が互いに連携して必要な処理を実行し、また、必要に応じて各データベース１８、１９、２０にデータ等の読み書きを実行する。データベース１８、１９、２０にはハードディスク、その他、任意の記憶装置を利用することが可能である。
【００１６】
コンテンツ情報管理センタ１００の動作は、許諾手続ログの作成・管理、許諾取得容易度やコンテンツ連携度の算出、各コンテンツの空間距離の算出やコンテンツ空間の作成に大別される。以下、これらの動作について詳述する。
【００１７】
図３に、許諾取得容易度やコンテンツ連携度を算出するために必要な許諾手続ログが作成されるまでの処理フローを示す。なお、図３ではコンテンツ情報管理センタ１００内の通信インタフェース１０は省略してある。
【００１８】
ここでは、リンク希望者が、コンテンツＡとコンテンツＢの間にリンクを作成する場合を考える。リンク希望者は、リンク希望者端末（ＥＵ）２００により、通信ネットワーク４００を介して、コンテンツ情報管理センタ１００にアクセスし、コンテンツＡ，Ｂ間のリンク希望を、コンテンツ情報管理手段１１へ渡す。コンテンツ情報管理手段１１は、コンテンツ名をキーにして、コンテンツＡとコンテンツＢの権利者情報（許諾要求先）を、コンテンツ情報データベース１８から取得し、得られた許諾要求先と、リンク希望者のリンク希望内容を許諾手続管理手段１２へ渡す。許諾手続管理手段１２は、受け取った全ての許諾要求先に、リンク希望内容を送信する。コンテンツＡの権利者は、受け取ったリンク希望内容を確認し、許諾の可否を、コンテンツ権利者端末（ＲＨａ）３００から通信ネットワーク４００を介して、コンテンツ情報管理センタ１００の許諾手続管理手段１２へ送信する。許諾手続管理手段１２は、コンテンツ権利者端末（ＲＨａ）３００から受信した許諾の可否に関する情報を、リンク希望者端末（ＥＵ）２００へ送信する。コンテンツＢに関しても、同様にして、許諾手続管理手段１２を介して、リンク希望者端末（ＥＵ）２００とコンテンツＢのコンテンツ権利者端末（ＲＨｂ）３００との間の許諾手続を行う。なお、一つのコンテンツに複数の権利者が存在する場合には、それらすべてのコンテンツ権利者とリンク希望者との間で許諾手続が行われる。ＲＨａやＲＨｂは一人あるいは複数の権利者の総称を意味する。
【００１９】
許諾手続ログ管理データベース１９は、リンク希望者とコンテンツ権利者間での上記の一連の許諾手続の内容（コンテンツの権利者数、手続に要した時間、許諾の可否等）を蓄積・格納しておく。ここでは、コンテンツＡとコンテンツＢに関する処理フローだけを説明したが、他のコンテンツに関する手続内容も多数、許諾手続ログ管理データベース１９に格納され管理される。
【００２０】
図４は、コンテンツ情報管理データベース１８の構成例であり、コンテンツＡに関する権利者情報として、権利者名、許諾要求先等が蓄積されることを示している。この例では、コンテンツＡの権利者はＲＨ１、ＲＨ２、ＲＨ３の３人存在する。同様にして、コンテンツＢや他のコンテンツに関する権利者情報がコンテンツ情報データベース１８に蓄積されている。
【００２１】
図５は、許諾手続ログ管理データベース１９の構成例であり、コンテンツＡに関する過去の許諾手続ログとして、許諾手続を一意に識別するための許諾手順ＩＤ、コンテンツＡの各権利者（ここではＲＨ１、ＲＨ２、ＲＨ３）からの許諾可否の応答、最終的に決定された許諾可否判定結果、許諾交渉に要した回数等が蓄積されることを示している。なお、図５では、各権利者（ＲＨ１、ＲＨ２、ＲＨ３）からの許諾応答が全て可のときのみ、許諾可否判定結果が可となるようにしている。同様に、コンテンツＢや他のコンテンツの過去の許諾手続ログが許諾手続ログ管理データベース１９に蓄積されている。
【００２２】
次に、図６に、コンテンツ情報データベース１８と許諾手続ログ管理データベース１９の情報から、許諾取得容易度やコンテンツ連携度を算出するまでの処理フローを示す。図６でもコンテンツ情報管理センタ１００内の通信インタフェース１０は省略してある。
【００２３】
許諾取得容易度算出手段１３は、リンク希望者からのコンテンツＡ、Ｂ間のリンク希望を受けて、まず、コンテンツ情報データベース１８から、コンテンツＡの権利者数とコンテンツＢの権利者数を取得する。次に、許諾取得容易度算出手段１３は、許諾手続ログ管理データベース１４から、コンテンツＡとコンテンツＢの許諾手続ログ（許諾手続に要した時間、許諾の可否等）を取得する。そして、許諾取得容易度を算出するための算出ルールを取得するため、ルール設定手段１７に対してルール要求を行う。ルール設定手段１７は、ルールデータベース２０を検索し、許諾取得容易度算出ルールを取得し、許諾取得容易度算出手段１３へ渡す。なお、上記コンテンツＡ、Ｂの権利者数は、コンテンツ情報管理手段１１がコンテンツ情報データベース１８から取得して、許諾取得容易度算出手段１３に渡すことでもよい。
【００２４】
許諾取得容易度算出手段１３は、取得した許諾取得容易度算出ルールに基づき、各コンテンツＡ、Ｂの許諾取得容易度を算出し、コンテンツ連携度計算手段１４へ渡す。ここでは、コンテンツＡの人的容易度、時間的容易度、確率的容易度と、同様に、コンテンツＢの人的容易度、時間的容易度、確率的容易度をそれぞれ算出し、コンテンツ連携度算出手段１４へ渡すとする。人的容易度は、コンテンツの権利者数から求め、数値が大きいほど、権利者が少ないことを示し、許諾が得られやすいことを表わしている。時間的容易度は、コンテンツ許諾手続ログの許諾手続に要した時間（回数）から求め、数値が大きいほど、許諾を得るのに時間がかからないことを示し、許諾が得られやすいことを表わしている。確率的容易度は、過去に行われた許諾手続における許諾の成立した確率から求め、数値が大きいほど、許諾を得られる確率が高いことを表わしている。
【００２５】
許諾取得容易度算出手段１３では、具体的に、取得したコンテンツの権利者数、コンテンツ許諾手続ログから、許諾取得容易度算出ルールに基づき、以下のようにして人的容易度、時間的容易度、確率的容易度を算出する。ここで、許諾取得容易度算出ルールは図７〜図９に示す通りとする。人的容易度は、図７のようなルールに従って、コンテンツの権利者数をグループ分けすることで求める。時間的容易度は、コンテンツ許諾手続ログから、許諾交渉に要した日数の平均値を求め、図８のようなルールに従ってグループ分けすることで求める。確率的容易度は、コンテンツ許諾手続ログから許諾可否判定結果を参照し、次式
許諾取得確率（％）＝許諾可否判定結果の可の回数／全許諾手続ログ数×１００
を用いて、許諾取得確率を求め、図９のようなルールに従って、グループ分けすることで求める。
【００２６】
一例として、図４のような権利者情報と、図５のような許諾手続ログを持つコンテンツＡについて、許諾取得容易度を求めると、次のようになる。図４より、権利者数は３（人）であるので、図７のルールから人的容易度は「８」と求められる。また、平均交渉日数は、図５より、交渉に要した日数の平均を算出すると、（４＋６＋９＋６＋５）／（５＝６（日）であるため、図８のルールから時間的容易度は「６」と求められる。また、図５の許諾可否判定結果の可の回数が「３」であることから、許諾取得確率は、３／５×１００＝６０（％）となり、図９のルールから、確率的容易度は「６」と求められる。
【００２７】
図５に示した許諾手続ログのデータは一例であり、他にも交渉時に必要な費用等リンク希望者端末（ＥＵ）と権利者（ＲＨ）との間で議論がなされたことを、許諾手続ログに記録しておき、許諾取得容易度を算出する際の要素の一つとして使用することが考えられる。これに伴い、図７〜図９に示した以外の算出ルールを使用することも考えられる。なお、許諾取得容易度の算出は、必要に応じ、一部のルールのみを使用して行ってもよい。
【００２８】
コンテンツ連携度算出手段１４は、許諾取得容易度算出手段１３からコンテンツＡの人的容易度、時間的容易度、確率的容易度、及び、コンテンツＢの同じく人的容易度、時間的容易度、確率的容易度を渡されると、コンテンツ連携度を算出するための算出ルールを取得するため、ルール設定手段１７に対して、ルール要求を行う。ルール設定手段１７は、ルールデータベース２０を検索し、コンテンツ連携度算出ルールを取得し、コンテンツ連携度算出手段１４へ渡す。コンテンツ連携度算出手段１４は、取得したコンテンツ連携度算出ルールに基づき、コンテンツＡ，Ｂ間のコンテンツ連携度を算出する。
【００２９】
いま、コンテンツＡの人的容易度、時間的容易度、確率的容易度をＡ＿ｍ、Ａ＿ｔ、Ａ＿ｐとし、同様に、コンテンツＢの人的容易度、時間的容易度、確率的容易度をＢ＿ｍ、Ｂ＿ｔ、Ｂ＿ｐとする。このとき、例えば、コンテンツ連携度算出ルールがＧという関数で表現され、パラメータとして、Ａ＿ｍ，Ａ＿ｔ，Ａ＿ｐ，Ｂ＿ｍ，Ｂ＿ｔ，Ｂ＿ｐを用いるとすると、コンテンツＡ，Ｂ間のコンテンツ連携度（ＡＢ＿ｍ，ＡＢ＿ｔ，ＡＢ＿ｐ）は以下の式によって算出することができる。
【００３０】
【数１】
2005309763.tif 000003
【００３１】
ここで、コンテンツ連携度の各要素であるＡＢ＿ｍ，ＡＢ＿ｔ，ＡＢ＿ｐは、それぞれコンテンツＡ，Ｂ間の連携に関する人的容易度、時間的容易度、確率的容易度を表している。ＡＢ＿ｍの数値が大きいほど、コンテンツＡ，Ｂに関わる権利者数が少ないことを、ＡＢ＿ｔの数値が大きいほど、コンテンツＡ，Ｂ間の連携に関する許諾を得るのに時間がかからないことを、ＡＢ＿ｐの数値が大きいほど、コンテンツＡ，Ｂ間の連携に関する許諾を得られる確率が高いことを表している。
【００３２】
図１０に、コンテンツ連携度算出ルールＧの一例を示す。例えば、確率的容易度の要素に着目して説明すると、図１０のような算出テーブルをあらかじめ設定しておくことによって、Ａ＿ｐとＢ＿ｐとから、コンテンツＡ，Ｂ間の連携に関する確率的容易度ＡＢ＿ｐを算出することができる。図１０に示すように、コンテンツＡ，Ｂ間の連携に関する許諾を得るには、コンテンツＡ，Ｂ双方の各権利者から許諾を得る必要があるため、コンテンツＡ，Ｂそれぞれの確率的容易度の値が大きいほど、コンテンツＡ，Ｂ間の連携に関する確率的容易度ＡＢ＿ｐの値が大きくなると考えることができる。ＡＢ＿ｍ、ＡＢ＿ｔに関しても、同様の考え方で算出テーブルを設定しておくなどすれば、算出が可能である。また、この算出テーブルは、コンテンツの組み合わせ次第で、幾通りものパターンが存在する。さらに、Ｇに関しては、既存の算出法を用いたり、経験から導き出された関数等を用いて計算しても良い。
【００３３】
次に、図１１に、コンテンツ間の連携度からコンテンツ間の空間距離を算出し、該コンテンツ間の空間距離をもとに、コンテンツ空間を作成するまでの処理フローを示す。
【００３４】
図１１において、コンテンツ連携度（ＡＢ＿ｍ，ＡＢ＿ｔ，ＡＢ＿ｐ）を算出するところまでは、図６と同じ処理フローである。コンテンツ連携度算出手段１４は、コンテンツＡ、Ｂ間のコンテンツ連携度（ＡＢ＿ｍ，ＡＢ＿ｔ，ＡＢ＿ｐ）を空間距離算出手段１５に渡す。空間距離算出手段１５は、コンテンツＡ，Ｂ間のコンテンツ連携度から、コンテンツ空間上のコンテンツＡ，Ｂ間の空間距離を算出するための算出ルールを取得するため、ルール設定手段１７に対して、ルール要求を行う。ルール設定手段１７は、ルールデータベース２０を検索し、空間距離算出ルールを取得し、空間距離算出手段１５へ渡す。
【００３５】
空間距離算出ルールの一例を以下に示す。コンテンツＡ、Ｂ間のコンテンツ連携度（ＡＢ＿ｍ，ＡＢ＿ｔ，ＡＢ＿ｐ）を、３つの要素を持ち、ＡからＢへ向かうベクトルであると考えると、このコンテンツ連携度ベクトルの大きさは、下記のように表される。
【００３６】
【数２】
2005309763.tif 000004
【００３７】
コンテンツＡ，Ｂ間の人的容易度ＡＢ＿ｍ、時間的容易度ＡＢ＿ｔ、確率的容易度ＡＢ＿ｐの値が大きいほど、コンテンツＡ、Ｂ間の連携に関する許諾が得やすいことを示しているので、コンテンツ連携度ベクトルの大きさが大きいほど、連携に関する許諾が得やすいことを示している。これをコンテンツ空間上のコンテンツＡ、Ｂ間の空間距離に反映させることを考える。連携に関する許諾が得やすいほど、コンテンツ間の空間距離が小さくなるように表現するならば、前記〔数２〕のコンテンツ連携度ベクトルの大きさの逆数をコンテンツ間の空間距離とすればよい。すなわち、コンテンツＡ，Ｂ間の空間距離は下記の算出ルールによって表される。
【００３８】
【数３】
2005309763.tif 000005
【００３９】
空間距離算出手段１５では、コンテンツＡ、Ｂ間のコンテンツ連携度（ＡＢ＿ｍ，ＡＢ＿ｔ，ＡＢ＿ｐ）から、空間距離算出ルールをもとに、コンテンツ間Ａ、Ｂの空間距離を算出する。該空間距離算出手段１５により算出された空間距離は、コンテンツ空間作成手段１６へ渡される。
【００４０】
コンテンツ空間作成手段１６は、コンテンツ空間作成ルールを取得するため、ルール設定手段１７に対して、ルール要求を行う。ルール設定手段１７は、ルールデータベース２０を検索し、コンテンツ空間作成ルールを取得し、コンテンツ空間作成手段１６へ渡す。コンテンツ空間作成手段１６は、コンテンツ間Ａ，Ｂの空間距離をもとに、コンテンツ空間作成ルールによりコンテンツ空間を作成する。
【００４１】
ここで、コンテンツ空間作成ルールの例として、多次元尺度法を用いれば、前記〔数３〕のコンテンツ間の空間距離を、多次元尺度法におけるユーグリッド距離とみなして計算し、座標を算出することにより、図１２に示すように、コンテンツをコンテンツ空間２１上に配置することができ、コンテンツ間の距離の近さによって、そのコンテンツ間の連携に関する許諾の得やすさを表現することができる。
【００４２】
また、コンテンツ空間作成ルールの例として、例えば特開平９−９０９２４号公報において提案されている表示色調生成方法を利用すれば、色情報に変換する属性として、コンテンツ間の空間距離を指定することにより、空間距離の大きさを、指定した２色間のグラデーションで作成されるカラーパレット上にマッピングして表現することが可能になる。これにより、図１３に示すように、コンテンツ空間２２上に、コンテンツＡを中心として、その周りの他のコンテンツとの連携に関する許諾の得やすさを、コンテンツ間を結ぶ線の色に反映することができる。例えば、黒と白の２色を指定したとすると、空間距離が近いコンテンツ間を結ぶラインほど、黒色が濃くなるように表現することが可能となる。
【００４３】
コンテンツ空間作成手段１６により作成されたコンテンツ空間のデータは、通信ネットワーク４００を介して、リンク希望者端末（ＥＵ）２００へ送られ、コンテンツ空間が可視表示される。これにより、リンク希望者は、許諾の得やすさを表すコンテンツ連携度が反映されたコンテンツ空間（図１２、図１３など）を見ながら、どのコンテンツ同士にリンクを作成すべきかを検討することができ、リンク作成作業の際の許諾交渉が容易になる。
【００４４】
なお、図２で示したコンテンツ情報管理センタ１００における各手段の一部もしくは全部の処理機能をコンピュータのプログラムで構成し、そのプログラムをコンピュータを用いて実行して本発明を実現することができること、あるいは、図３や図６や図１１などで示した処理手順をコンピュータのプログラムで構成し、そのプログラムをコンピュータに実行させることができることは言うまでもない。また、コンピュータでその処理機能を実現するためのプログラム、あるいは、コンピュータにその処理手順を実行させるためのプログラムを、そのコンピュータが読み取り可能な記録媒体、例えば、ＦＤ、ＭＯ、ＲＯＭ、メモリカード、ＣＤ、ＤＶＤ、リムーバブルディスクなどに記録して、保存したり、提供したりすることができるとともに、インターネット等のネットワークを通してそのプログラムを配布したりすることが可能である。
【図面の簡単な説明】
【００４５】
【図１】本発明の実施形態のシステム構成図である。
【図２】本発明によるコンテンツ情報管理センタの実施例の構成図である。
【図３】本発明の実施例の処理フロー図（その１）である。
【図４】権利者情報の一例である。
【図５】許諾手続ログの一例である。
【図６】本発明の実施例の処理フロー図（その２）である。
【図７】人的容易度の算出ルール例である。
【図８】時間的容易度の算出ルール例である。
【図９】確率的容易度の算出ルール例である。
【図１０】コンテンツ連携度の算出ルール例である。
【図１１】本発明の実施例の処理フロー図（その３）である。
【図１２】コンテンツ空間の一例である。
【図１３】コンテンツ空間の他の一例である。
【符号の説明】
【００４６】
１００  コンテンツ情報管理センタ
２００  リンク希望者端末
３００  コンテンツ権利者端末
４００  通信ネットワーク
１０  通信インタフェース
１１  コンテンツ情報管理手段
１２  許諾手続管理手段
１３  許諾取得容易度算出手段
１４  コンテンツ連携度算出手段
１５  空間距離算出手段
１６  コンテンツ空間作成手段
１７  ルール設定手段
１８  コンテンツ情報データベース
１９  許諾手続ログ管理データベース
２０  ルールデータベース
【図１】
2005309763.tif 000006
【図２】
2005309763.tif 000007
【図３】
2005309763.tif 000008
【図４】
2005309763.tif 000009
【図５】
2005309763.tif 000010
【図６】
2005309763.tif 000011
【図７】
2005309763.tif 000012
【図８】
2005309763.tif 000013
【図９】
2005309763.tif 000014
【図１０】
2005309763.tif 000015
【図１１】
2005309763.tif 000016
【図１２】
2005309763.tif 000017
【図１３】
2005309763.tif 000018